【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、前記方法が、
色域スケーラビリティのための３次元（３Ｄ）ルックアップテーブルのために少なくとも１つの参照レイヤ識別子（ＩＤ）を受信することと、前記少なくとも１つの参照レイヤＩＤが、前記３Ｄルックアップテーブルがそれに適用されるべきである前記ビデオデータの複数の参照レイヤのうちの少なくとも１つの参照レイヤを識別し、
前記ビデオデータの前記参照レイヤ用の第１の色域から前記ビデオデータの拡張レイヤ用の第２の色域に色成分を変換するために、前記少なくとも１つの参照レイヤＩＤによって識別される前記少なくとも１つの参照レイヤ中の参照レイヤピクチャの前記色成分に前記３Ｄルックアップテーブルを適用することと、
変換された前記色成分に基づいて前記ビデオデータの前記拡張レイヤにおいて拡張レイヤピクチャのためにレイヤ間参照ピクチャを生成することと、
前記３Ｄルックアップテーブルを使用して生成された前記レイヤ間参照ピクチャに基づいて前記拡張レイヤピクチャのビデオブロックを復号することと
を備える、方法。
【請求項２】
前記３Ｄルックアップテーブルのために前記少なくとも１つの参照レイヤＩＤを受信することが、厳密に１つの参照レイヤを識別する厳密に１つの参照レイヤＩＤを受信することを備える、請求項１に記載の方法。
【請求項３】
前記３Ｄルックアップテーブルを適用することが、前記厳密に１つの参照レイヤＩＤによって識別される前記厳密に１つの参照レイヤ中の参照レイヤピクチャの色成分に前記３Ｄルックアップテーブルを適用することを備える、請求項２に記載の方法。
【請求項４】
前記３Ｄルックアップテーブルのために前記少なくとも１つの参照レイヤＩＤを受信することが、２つ以上の参照レイヤを識別する２つ以上の参照レイヤＩＤを受信することを備える、請求項１に記載の方法。
【請求項５】
前記３Ｄルックアップテーブルを適用することが、前記２つ以上の参照レイヤの参照レイヤピクチャの色成分を変換するために、前記２つ以上の参照レイヤＩＤによって識別される前記２つ以上の参照レイヤの各々中の前記参照レイヤピクチャの前記色成分に前記３Ｄルックアップテーブルを適用することを備え、
前記レイヤ間参照ピクチャを生成することが、前記２つ以上の参照レイヤからの変換された前記色成分の組合せに基づいて前記レイヤ間参照ピクチャを生成することを備える、
請求項４に記載の方法。
【請求項６】
前記少なくとも１つの参照レイヤＩＤを受信することは、前記拡張レイヤ中の第１の拡張レイヤピクチャのための第１のレイヤ間参照ピクチャを生成するために前記３Ｄルックアップテーブルがそれに適用される第１の参照レイヤを識別する第１の参照レイヤＩＤを受信することを備え、前記方法が、
前記ビデオデータの前記複数の参照レイヤのうちの第２の参照レイヤを識別する第２の参照レイヤＩＤを受信することと、前記第２の参照レイヤが前記第１の参照レイヤとは異なり、
前記第２の参照レイヤの参照レイヤピクチャの色成分を変換するために、前記第２の参照レイヤ中の前記参照レイヤピクチャの前記色成分に前記３Ｄルックアップテーブルを適用することと、
変換された前記色成分に基づいて前記ビデオデータの前記拡張レイヤにおいて第２の拡張レイヤピクチャのために第２のレイヤ間参照ピクチャを生成することと、前記第２の拡張レイヤが前記第１の拡張レイヤとは異なり、
前記３Ｄルックアップテーブルを使用して生成された前記第２のレイヤ間参照ピクチャに基づいて前記第２の拡張レイヤピクチャのビデオブロックを復号することと
を更に備える、請求項１に記載の方法。
【請求項７】
ビデオデータを符号化する方法であって、前記方法が、
色域スケーラビリティのための３次元（３Ｄ）ルックアップテーブルのために前記ビデオデータの複数の参照レイヤのうちの少なくとも１つの参照レイヤを決定することと、
前記ビデオデータの前記参照レイヤ用の第１の色域から前記ビデオデータの拡張レイヤ用の第２の色域に色成分を変換するために、前記少なくとも１つの参照レイヤ中の参照レイヤピクチャの前記色成分に前記３Ｄルックアップテーブルを適用することと、
変換された前記色成分に基づいて前記ビデオデータの前記拡張レイヤにおいて拡張レイヤピクチャのためにレイヤ間参照ピクチャを生成することと、
前記３Ｄルックアップテーブルを使用して生成された前記レイヤ間参照ピクチャに基づいて前記拡張レイヤピクチャのビデオブロックを符号化することと、
前記少なくとも１つの参照レイヤを識別する少なくとも１つの参照レイヤ識別子（ＩＤ）を信号伝達することと
を備える、方法。
【請求項８】
前記少なくとも１つの参照レイヤＩＤを信号伝達することが、厳密に１つの参照レイヤを識別する厳密に１つの参照レイヤＩＤを信号伝達することを備える、請求項７に記載の方法。
【請求項９】
前記少なくとも１つの参照レイヤを決定することが、前記３Ｄルックアップテーブルのために前記厳密に１つの参照レイヤを決定することを備え、
前記３Ｄルックアップテーブルを適用することが、前記厳密に１つの参照レイヤ中の参照レイヤピクチャの色成分に前記３Ｄルックアップテーブルを適用することを備える、
請求項８に記載の方法。
【請求項１０】
前記少なくとも１つの参照レイヤＩＤを信号伝達することが、２つ以上の参照レイヤを識別する２つ以上の参照レイヤＩＤを信号伝達することを備える、請求項７に記載の方法。
【請求項１１】
前記少なくとも１つの参照レイヤを決定することが、前記３Ｄルックアップテーブルのために前記２つ以上の参照レイヤを決定することを備え、
前記３Ｄルックアップテーブルを適用することが、前記２つ以上の参照レイヤの参照レイヤピクチャの色成分を変換するために、前記２つ以上の参照レイヤの各々中の前記参照レイヤピクチャの前記色成分に前記３Ｄルックアップテーブルを適用することを備え、
前記レイヤ間参照ピクチャを生成することが、前記２つ以上の参照レイヤからの前記変換された色成分の組合せに基づいて前記レイヤ間参照ピクチャを生成することを備える、
請求項１０に記載の方法。
【請求項１２】
前記少なくとも１つの参照レイヤＩＤを信号伝達することは、前記拡張レイヤ中の第１の拡張レイヤピクチャのための第１のレイヤ間参照ピクチャを生成するために前記３Ｄルックアップテーブルがそれに適用される第１の参照レイヤを識別する第１の参照レイヤＩＤを信号伝達することを備え、前記方法は、
前記ビデオデータの前記複数の参照レイヤのうちの第２の参照レイヤを識別する第２の参照レイヤＩＤを決定することと、前記第２の参照レイヤが前記第１の参照レイヤとは異なり、
前記第２の参照レイヤの参照レイヤピクチャの色成分を変換するために、前記第２の参照レイヤ中の前記参照レイヤピクチャの前記色成分に前記３Ｄルックアップテーブルを適用することと、
変換された前記色成分に基づいて前記ビデオデータの前記拡張レイヤにおいて第２の拡張レイヤピクチャのために第２のレイヤ間参照ピクチャを生成することと、前記第２の拡張レイヤが前記第１の拡張レイヤとは異なり、
前記３Ｄルックアップテーブルを使用して生成された前記第２のレイヤ間参照ピクチャに基づいて前記第２の拡張レイヤピクチャのビデオブロックを符号化することと、
前記第２の参照レイヤを識別する前記第２の参照レイヤＩＤを信号伝達することと
を更に備える、請求項７に記載の方法。
【請求項１３】
ビデオデータを記憶するように構成されたメモリと、
前記メモリと通信している１つ以上のプロセッサとを備え、前記１つ以上のプロセッサは、
色域スケーラビリティのための３次元（３Ｄ）ルックアップテーブルのために少なくとも１つの参照レイヤ識別子（ＩＤ）を受信することと、前記少なくとも１つの参照レイヤＩＤが、前記３Ｄルックアップテーブルがそれに適用されるべきである前記ビデオデータの複数の参照レイヤのうちの少なくとも１つの参照レイヤを識別し、
前記ビデオデータの前記参照レイヤ用の第１の色域から前記ビデオデータの拡張レイヤ用の第２の色域に色成分を変換するために、前記少なくとも１つの参照レイヤＩＤによって識別される前記少なくとも１つの参照レイヤ中の参照レイヤピクチャの前記色成分に前記３Ｄルックアップテーブルを適用することと、
変換された前記色成分に基づいて前記ビデオデータの前記拡張レイヤにおいて拡張レイヤピクチャのためにレイヤ間参照ピクチャを生成することと、
前記３Ｄルックアップテーブルを使用して生成された前記レイヤ間参照ピクチャに基づいて前記拡張レイヤピクチャのビデオブロックを復号することと
を行うように構成された、ビデオ復号機器。
【請求項１４】
ビデオデータを記憶するように構成されたメモリと、
前記メモリと通信している１つ以上のプロセッサとを備え、前記１つ以上のプロセッサが、
色域スケーラビリティのための３次元（３Ｄ）ルックアップテーブルのために前記ビデオデータの複数の参照レイヤのうちの少なくとも１つの参照レイヤを決定することと、
前記ビデオデータの前記参照レイヤ用の第１の色域から前記ビデオデータの拡張レイヤ用の第２の色域に色成分を変換するために、前記少なくとも１つの参照レイヤ中の参照レイヤピクチャの前記色成分に前記３Ｄルックアップテーブルを適用することと、
変換された前記色成分に基づいて前記ビデオデータの前記拡張レイヤにおいて拡張レイヤピクチャのためにレイヤ間参照ピクチャを生成することと、
前記３Ｄルックアップテーブルを使用して生成された前記レイヤ間参照ピクチャに基づいて前記拡張レイヤピクチャのビデオブロックを符号化することと、
前記少なくとも１つの参照レイヤを識別する少なくとも１つの参照レイヤ識別子（ＩＤ）を信号伝達することと
を行うように構成された、ビデオ符号化機器。
【請求項１５】
ビデオデータを復号するための命令を記憶したコンピュータ可読記憶媒体であって、前記命令は、実行されたとき、請求項１〜１２のいずれか一項に記載の方法を１つ以上のプロセッサに行わせる、コンピュータ可読記憶媒体。
【手続補正２】
【補正対象書類名】明細書
【補正対象項目名】０２１２
【補正方法】変更
【補正の内容】
【０２１２】
[0224]様々な例について説明した。これら及び他の例は以下の特許請求の範囲内にある。
以下に、本願の出願当初の特許請求の範囲に記載された発明を付記する。
［Ｃ１］
ビデオデータを復号する方法であって、前記方法が、
色域スケーラビリティのための３次元（３Ｄ）ルックアップテーブルのために少なくとも１つの参照レイヤ識別子（ＩＤ）を受信することと、前記少なくとも１つの参照レイヤＩＤが、前記ビデオデータの複数の参照レイヤのうちの少なくとも１つの参照レイヤを識別し、
前記ビデオデータの前記参照レイヤ用の第１の色域から前記ビデオデータの拡張レイヤ用の第２の色域に色成分を変換するために、前記少なくとも１つの参照レイヤＩＤによって識別される前記少なくとも１つの参照レイヤ中の参照レイヤピクチャの前記色成分に前記３Ｄルックアップテーブルを適用することと、
変換された前記色成分に基づいて前記ビデオデータの前記拡張レイヤにおいて拡張レイヤピクチャのためにレイヤ間参照ピクチャを生成することと、
前記３Ｄルックアップテーブルを使用して生成された前記レイヤ間参照ピクチャに基づいて前記拡張レイヤピクチャのビデオブロックを復号することと
を備える、方法。
［Ｃ２］
前記３Ｄルックアップテーブルのために前記少なくとも１つの参照レイヤＩＤを受信することが、厳密に１つの参照レイヤを識別する厳密に１つの参照レイヤＩＤを受信することを備える、Ｃ１に記載の方法。
［Ｃ３］
前記３Ｄルックアップテーブルを適用することが、前記厳密に１つの参照レイヤＩＤによって識別される前記厳密に１つの参照レイヤ中の参照レイヤピクチャの色成分に前記３Ｄルックアップテーブルを適用することを備える、Ｃ２に記載の方法。
［Ｃ４］
前記３Ｄルックアップテーブルのために前記少なくとも１つの参照レイヤＩＤを受信することが、２つ以上の参照レイヤを識別する２つ以上の参照レイヤＩＤを受信することを備える、Ｃ１に記載の方法。
［Ｃ５］
前記３Ｄルックアップテーブルを適用することが、前記２つ以上の参照レイヤの参照レイヤピクチャの色成分を変換するために、前記２つ以上の参照レイヤＩＤによって識別される前記２つ以上の参照レイヤの各々中の前記参照レイヤピクチャの前記色成分に前記３Ｄルックアップテーブルを適用することを備え、
前記レイヤ間参照ピクチャを生成することが、前記２つ以上の参照レイヤからの変換された前記色成分の組合せに基づいて前記レイヤ間参照ピクチャを生成することを備える、Ｃ４に記載の方法。
［Ｃ６］
前記少なくとも１つの参照レイヤＩＤを受信することは、前記拡張レイヤ中の第１の拡張レイヤピクチャのための第１のレイヤ間参照ピクチャを生成するために前記３Ｄルックアップテーブルがそれに適用される第１の参照レイヤを識別する第１の参照レイヤＩＤを受信することを備え、前記方法が、
前記ビデオデータの前記複数の参照レイヤのうちの第２の参照レイヤを識別する第２の参照レイヤＩＤを受信することと、前記第２の参照レイヤが前記第１の参照レイヤとは異なり、
前記第２の参照レイヤの参照レイヤピクチャの色成分を変換するために、前記第２の参照レイヤ中の前記参照レイヤピクチャの前記色成分に前記３Ｄルックアップテーブルを適用することと、
変換された前記色成分に基づいて前記ビデオデータの前記拡張レイヤにおいて第２の拡張レイヤピクチャのために第２のレイヤ間参照ピクチャを生成することと、前記第２の拡張レイヤが前記第１の拡張レイヤとは異なり、
前記３Ｄルックアップテーブルを使用して生成された前記第２のレイヤ間参照ピクチャに基づいて前記第２の拡張レイヤピクチャのビデオブロックを復号することと
を更に備える、Ｃ１に記載の方法。
［Ｃ７］
ビデオデータを符号化する方法であって、前記方法が、
色域スケーラビリティのための３次元（３Ｄ）ルックアップテーブルのために前記ビデオデータの複数の参照レイヤのうちの少なくとも１つの参照レイヤを決定することと、  前記ビデオデータの前記参照レイヤ用の第１の色域から前記ビデオデータの拡張レイヤ用の第２の色域に色成分を変換するために、前記少なくとも１つの参照レイヤ中の参照レイヤピクチャの前記色成分に前記３Ｄルックアップテーブルを適用することと、
変換された前記色成分に基づいて前記ビデオデータの前記拡張レイヤにおいて拡張レイヤピクチャのためにレイヤ間参照ピクチャを生成することと、
前記３Ｄルックアップテーブルを使用して生成された前記レイヤ間参照ピクチャに基づいて前記拡張レイヤピクチャのビデオブロックを符号化することと、
前記少なくとも１つの参照レイヤを識別する少なくとも１つの参照レイヤ識別子（ＩＤ）を信号伝達することと
を備える、方法。
［Ｃ８］
前記少なくとも１つの参照レイヤＩＤを信号伝達することが、厳密に１つの参照レイヤを識別する厳密に１つの参照レイヤＩＤを信号伝達することを備える、Ｃ７に記載の方法。
［Ｃ９］
前記少なくとも１つの参照レイヤを決定することが、前記３Ｄルックアップテーブルのために前記厳密に１つの参照レイヤを決定することを備え、
前記３Ｄルックアップテーブルを適用することが、前記厳密に１つの参照レイヤ中の参照レイヤピクチャの色成分に前記３Ｄルックアップテーブルを適用することを備える、Ｃ８に記載の方法。
［Ｃ１０］
前記少なくとも１つの参照レイヤＩＤを信号伝達することが、２つ以上参照レイヤを識別する２つ以上の参照レイヤＩＤを信号伝達することを備える、Ｃ７に記載の方法。
［Ｃ１１］
前記少なくとも１つの参照レイヤを決定することが、前記３Ｄルックアップテーブルのために前記２つ以上の参照レイヤを決定することを備え、
前記３Ｄルックアップテーブルを適用することが、前記２つ以上の参照レイヤの参照レイヤピクチャの色成分を変換するために、前記２つ以上の参照レイヤの各々中の前記参照レイヤピクチャの前記色成分に前記３Ｄルックアップテーブルを適用することを備え、  前記レイヤ間参照ピクチャを生成することが、前記２つ以上の参照レイヤからの前記変換された色成分の組合せに基づいて前記レイヤ間参照ピクチャを生成することを備える、Ｃ１０に記載の方法。
［Ｃ１２］
前記少なくとも１つの参照レイヤＩＤを信号伝達することは、前記拡張レイヤ中の第１の拡張レイヤピクチャのための第１のレイヤ間参照ピクチャを生成するために前記３Ｄルックアップテーブルがそれに適用される第１の参照レイヤを識別する第１の参照レイヤＩＤを信号伝達することを備え、前記方法は、
前記ビデオデータの前記複数の参照レイヤのうちの第２の参照レイヤを識別する第２の参照レイヤＩＤを決定することと、前記第２の参照レイヤが前記第１の参照レイヤとは異なり、
前記第２の参照レイヤの参照レイヤピクチャの色成分を変換するために、前記第２の参照レイヤ中の前記参照レイヤピクチャの前記色成分に前記３Ｄルックアップテーブルを適用することと、
変換された前記色成分に基づいて前記ビデオデータの前記拡張レイヤにおいて第２の拡張レイヤピクチャのために第２のレイヤ間参照ピクチャを生成することと、前記第２の拡張レイヤが前記第１の拡張レイヤとは異なり、
前記３Ｄルックアップテーブルを使用して生成された前記第２のレイヤ間参照ピクチャに基づいて前記第２の拡張レイヤピクチャのビデオブロックを符号化することと、
前記第２の参照レイヤを識別する前記第２の参照レイヤＩＤを信号伝達することと
を更に備える、Ｃ７に記載の方法。
［Ｃ１３］
ビデオデータを記憶するように構成されたメモリと、
前記メモリと通信している１つ以上のプロセッサとを備え、前記１つ以上のプロセッサは、
色域スケーラビリティのための３次元（３Ｄ）ルックアップテーブルのために少なくとも１つの参照レイヤ識別子（ＩＤ）を受信することと、前記少なくとも１つの参照レイヤＩＤが、前記ビデオデータの複数の参照レイヤのうちの少なくとも１つの参照レイヤを識別し、
前記ビデオデータの前記参照レイヤ用の第１の色域から前記ビデオデータの拡張レイヤ用の第２の色域に色成分を変換するために、前記少なくとも１つの参照レイヤＩＤによって識別される前記少なくとも１つの参照レイヤ中の参照レイヤピクチャの前記色成分に前記３Ｄルックアップテーブルを適用することと、
変換された前記色成分に基づいて前記ビデオデータの前記拡張レイヤにおいて拡張レイヤピクチャのためにレイヤ間参照ピクチャを生成することと、
前記３Ｄルックアップテーブルを使用して生成された前記レイヤ間参照ピクチャに基づいて前記拡張レイヤピクチャのビデオブロックを復号することと
を行うように構成された、ビデオ復号機器。
［Ｃ１４］
前記１つ以上のプロセッサが、厳密に１つの参照レイヤを識別する厳密に１つの参照レイヤＩＤを受信するように構成された、Ｃ１３に記載の機器。
［Ｃ１５］
前記１つ以上のプロセッサが、前記厳密に１つの参照レイヤＩＤによって識別される前記厳密に１つの参照レイヤ中の参照レイヤピクチャの色成分に前記３Ｄルックアップテーブルを適用するように構成された、Ｃ１４に記載の機器。
［Ｃ１６］
前記１つ以上のプロセッサが、２つ以上参照レイヤを識別する２つ以上の参照レイヤＩＤを受信するように構成された、Ｃ１３に記載の機器。
［Ｃ１７］
前記１つ以上のプロセッサが、
前記２つ以上の参照レイヤの参照レイヤピクチャの色成分を変換するために、前記２つ以上の参照レイヤＩＤによって識別される前記２つ以上の参照レイヤの各々中の前記参照レイヤピクチャの前記色成分に前記３Ｄルックアップテーブルを適用することと、
前記２つ以上の参照レイヤからの前記変換された色成分の組合せに基づいて前記レイヤ間参照ピクチャを生成することと
を行うように構成された、Ｃ１６に記載の機器。
［Ｃ１８］
前記１つ以上のプロセッサは、
前記拡張レイヤ中の第１の拡張レイヤピクチャのための第１のレイヤ間参照ピクチャを生成するために前記３Ｄルックアップテーブルがそれに適用される前記複数の参照レイヤのうちの第１の参照レイヤを識別する第１の参照レイヤＩＤを受信することと、
前記ビデオデータの前記複数の参照レイヤのうちの第２の参照レイヤを識別する第２の参照レイヤＩＤを受信することと、前記第２の参照レイヤが前記第１の参照レイヤとは異なり、
前記第２の参照レイヤの参照レイヤピクチャの色成分を変換するために、前記第２の参照レイヤ中の前記参照レイヤピクチャの前記色成分に前記３Ｄルックアップテーブルを適用することと、
変換された前記色成分に基づいて前記ビデオデータの前記拡張レイヤにおいて第２の拡張レイヤピクチャのために第２のレイヤ間参照ピクチャを生成することと、前記第２の拡張レイヤが前記第１の拡張レイヤとは異なり、
前記３Ｄルックアップテーブルを使用して生成された前記第２のレイヤ間参照ピクチャに基づいて前記第２の拡張レイヤピクチャのビデオブロックを復号することと
を行うように構成された、Ｃ１３に記載の機器。
［Ｃ１９］
ビデオデータを記憶するように構成されたメモリと、
前記メモリと通信している１つ以上のプロセッサとを備え、前記１つ以上のプロセッサが、
色域スケーラビリティのための３次元（３Ｄ）ルックアップテーブルのために前記ビデオデータの複数の参照レイヤのうちの少なくとも１つの参照レイヤを決定することと、  前記ビデオデータの前記参照レイヤ用の第１の色域から前記ビデオデータの拡張レイヤ用の第２の色域に色成分を変換するために、前記少なくとも１つの参照レイヤ中の参照レイヤピクチャの前記色成分に前記３Ｄルックアップテーブルを適用することと、
変換された前記色成分に基づいて前記ビデオデータの前記拡張レイヤにおいて拡張レイヤピクチャのためにレイヤ間参照ピクチャを生成することと、
前記３Ｄルックアップテーブルを使用して生成された前記レイヤ間参照ピクチャに基づいて前記拡張レイヤピクチャのビデオブロックを符号化することと、
前記少なくとも１つの参照レイヤを識別する少なくとも１つの参照レイヤ識別子（ＩＤ）を信号伝達することと
を行うように構成された、ビデオ符号化機器。
［Ｃ２０］
前記１つ以上のプロセッサが、厳密に１つの参照レイヤを識別する厳密に１つの参照レイヤＩＤを信号伝達するように構成された、Ｃ１９に記載の機器。
［Ｃ２１］
前記１つ以上のプロセッサが、
前記３Ｄルックアップテーブルのために前記厳密に１つの参照レイヤを決定することと、
前記厳密に１つの参照レイヤ中の参照レイヤピクチャの色成分に前記３Ｄルックアップテーブルを適用すること
を行うように構成された、Ｃ２０に記載の機器。
［Ｃ２２］
前記１つ以上のプロセッサが、２つ以上参照レイヤを識別する２つ以上の参照レイヤＩＤを信号伝達するように構成された、Ｃ１９に記載の機器。
［Ｃ２３］
前記１つ以上のプロセッサが、
前記３Ｄルックアップテーブルのために前記２つ以上の参照レイヤを決定することと、  前記２つ以上の参照レイヤの参照レイヤピクチャの色成分を変換するために、前記２つ以上の参照レイヤの各々中の前記参照レイヤピクチャの前記色成分に前記３Ｄルックアップテーブルを適用することと、
前記２つ以上の参照レイヤからの前記変換された色成分の組合せに基づいて前記レイヤ間参照ピクチャを生成することと
を行うように構成された、Ｃ２２に記載の機器。
［Ｃ２４］
前記１つ以上のプロセッサは、
前記拡張レイヤ中の第１の拡張レイヤピクチャのための第１のレイヤ間参照ピクチャを生成するために前記３Ｄルックアップテーブルがそれに適用される前記複数の参照レイヤのうちの第１の参照レイヤを識別する第１の参照レイヤＩＤを信号伝達することと、
前記ビデオデータの前記複数の参照レイヤのうちの第２の参照レイヤを識別する第２の参照レイヤＩＤを決定することと、前記第２の参照レイヤが前記第１の参照レイヤとは異なり、
前記第２の参照レイヤの参照レイヤピクチャの色成分を変換するために、前記第２の参照レイヤ中の前記参照レイヤピクチャの前記色成分に前記３Ｄルックアップテーブルを適用することと、
変換された前記色成分に基づいて前記ビデオデータの前記拡張レイヤにおいて第２の拡張レイヤピクチャのために第２のレイヤ間参照ピクチャを生成することと、前記第２の拡張レイヤが前記第１の拡張レイヤとは異なり、
前記３Ｄルックアップテーブルを使用して生成された前記第２のレイヤ間参照ピクチャに基づいて前記第２の拡張レイヤピクチャのビデオブロックを符号化することと、
前記第２の参照レイヤを識別する前記第２の参照レイヤＩＤを信号伝達することと
を行うように構成された、Ｃ１９に記載の機器。
［Ｃ２５］
色域スケーラビリティのための３次元（３Ｄ）ルックアップテーブルのために少なくとも１つの参照レイヤ識別子（ＩＤ）を受信するための手段と、前記少なくとも１つの参照レイヤＩＤが、前記ビデオデータの複数の参照レイヤのうちの少なくとも１つの参照レイヤを識別し、
前記ビデオデータの前記参照レイヤ用の第１の色域から前記ビデオデータの拡張レイヤ用の第２の色域に色成分を変換するために、前記少なくとも１つの参照レイヤＩＤによって識別される前記少なくとも１つの参照レイヤ中の参照レイヤピクチャの前記色成分に前記３Ｄルックアップテーブルを適用するための手段と、
変換された前記色成分に基づいて前記ビデオデータの前記拡張レイヤにおいて拡張レイヤピクチャのためにレイヤ間参照ピクチャを生成するための手段と、
前記３Ｄルックアップテーブルを使用して生成された前記レイヤ間参照ピクチャに基づいて前記拡張レイヤピクチャのビデオブロックを復号するための手段と
を備える、ビデオ復号機器。
［Ｃ２６］
ビデオデータを復号するための命令を記憶したコンピュータ可読記憶媒体であって、前記命令は、実行されたとき、
色域スケーラビリティのための３次元（３Ｄ）ルックアップテーブルのために少なくとも１つの参照レイヤ識別子（ＩＤ）を受信することと、前記少なくとも１つの参照レイヤＩＤが、前記ビデオデータの複数の参照レイヤのうちの少なくとも１つの参照レイヤを識別し、
前記ビデオデータの前記参照レイヤ用の第１の色域から前記ビデオデータの拡張レイヤ用の第２の色域に色成分を変換するために、前記少なくとも１つの参照レイヤＩＤによって識別される前記少なくとも１つの参照レイヤ中の参照レイヤピクチャの前記色成分に前記３Ｄルックアップテーブルを適用することと、
変換された前記色成分に基づいて前記ビデオデータの前記拡張レイヤにおいて拡張レイヤピクチャのためにレイヤ間参照ピクチャを生成することと、
前記３Ｄルックアップテーブルを使用して生成された前記レイヤ間参照ピクチャに基づいて前記拡張レイヤピクチャのビデオブロックを復号することと
を１つ以上のプロセッサに行わせる、コンピュータ可読記憶媒体。